(57)【要約】【課題】モグラが音や振動に慣れることを回避し、長期にわたって良好な忌避効果を維持する。【解決手段】モグラを忌避するモグラ忌避装置１であって、少なくとも一部が地中に埋められる角パイプ２と、角パイプ２内に配置される錘７と、バネ８を介して錘７を不規則に旋回動作させるモータ１１とを備え、モータ駆動に応じて不規則に旋回動作する錘７が、角パイプ２の内面に接触する際に発生させる不規則な音及び／又は振動によってモグラを忌避する。【選択図】図２
2015084769.tif 000002
【特許請求の範囲】
【請求項１】
モグラを忌避するモグラ忌避装置であって、
少なくとも一部が地中に埋められる角パイプと、
角パイプ内に配置される錘と、
バネを介して錘を不規則に旋回動作させるモータとを備え、
モータ駆動に応じて不規則に旋回動作する錘が、角パイプの内面に接触する際に発生させる不規則な音及び／又は振動によってモグラを忌避することを特徴とするモグラ忌避装置。
【請求項２】
前記バネは、角パイプ内に垂下されたコイルバネであり、
前記モータは、バネの上端部を連結支持し、
前記錘は、その重心がバネの中心に対して偏心する状態でバネの下端部に取付けられることを特徴とする請求項１に記載のモグラ忌避装置。
【請求項３】
前記モータは、角パイプの上端部に設けられる地上のボックス内に配置され、延長シャフトを介してバネの上端部に連結されることを特徴とする請求項１又は２に記載のモグラ忌避装置。
【請求項４】
前記モータは、ＡＣ１００Ｖ電源で駆動されることを特徴とする請求項１〜３のいずれか一項に記載のモグラ忌避装置。
【発明の詳細な説明】
【技術分野】
【０００１】
本発明は、音や振動によってモグラを忌避するモグラ忌避装置に関する。
【背景技術】
【０００２】
音や振動によってモグラを忌避するモグラ忌避装置が知られている。たとえば、特許文献１に示されるモグラ忌避装置は、少なくとも一部が地中に埋められるパイプと、パイプ内に配置される回転体と、回転体を回転させるモータとを備えており、モータ駆動に応じて回転する回転体が、パイプ内のフィンに接触する際に発生させる音や振動によってモグラを忌避するように構成されている。
【先行技術文献】
【特許文献】
【０００３】
【特許文献１】特開平７−７９６８６号公報
【発明の概要】
【発明が解決しようとする課題】
【０００４】
しかしながら、従来のモグラ忌避装置は、規則的な音や振動を発生させるので、モグラが音や振動に慣れてしまい、忌避効果が低下する惧れがあった。なお、特許文献１には、発生させる振動の周波数を、フィンの数やモータの回転数により任意に設定できると記載されているが、使用状態では、フィンの数やモータの回転数が一定であるため、不規則な音や振動を発生させることは困難である。
【課題を解決するための手段】
【０００５】
本発明は、上記の如き実情に鑑みこれらの課題を解決することを目的として創作されたものであって、モグラを忌避するモグラ忌避装置であって、少なくとも一部が地中に埋められる角パイプと、角パイプ内に配置される錘と、バネを介して錘を不規則に旋回動作させるモータとを備え、モータ駆動に応じて不規則に旋回動作する錘が、角パイプの内面に接触する際に発生させる不規則な音及び／又は振動によってモグラを忌避することを特徴とする。
また、前記バネは、角パイプ内に垂下されたコイルバネであり、前記モータは、バネの上端部を連結支持し、前記錘は、その重心がバネの中心に対して偏心する状態でバネの下端部に取付けられることを特徴とする。
また、前記モータは、角パイプの上端部に設けられる地上のボックス内に配置され、延長シャフトを介してバネの上端部に連結されることを特徴とする。
また、前記モータは、ＡＣ１００Ｖ電源で駆動されることを特徴とする。
【発明の効果】
【０００６】
請求項１の発明によれば、モータがバネを介して錘を不規則に旋回動作させるので、錘が角パイプの内面に接触する際に不規則な音や振動を発生させることができ、その結果、モグラが音や振動に慣れることを回避し、長期にわたって良好な忌避効果を維持することができる。
また、請求項２の発明によれば、錘は、角パイプ内に垂下されたバネの下端部に偏心状態で取り付けられるので、旋回動作の不規則性が高められる。
また、請求項３の発明によれば、モータは、角パイプの上端部に設けられる地上のボックス内に配置され、延長シャフトを介してバネの上端部に連結されるので、モータを角パイプ内に配置する場合に比べ、湿気や水の影響でモータが故障する可能性を低減できる。
また、請求項４の発明によれば、モータは、ＡＣ１００Ｖ電源で駆動されるので、太陽電池や乾電池で駆動させる場合のように、天候や電池寿命の影響で忌避効果が低下する不都合を回避できる。
【図面の簡単な説明】
【０００７】
【図１】（Ａ）は本発明の実施形態に係るモグラ忌避装置の正面図、（Ｂ）は本発明の実施形態に係るモグラ忌避装置の側面図である。
【図２】本発明の実施形態に係るモグラ忌避装置の内部構造を示す背面図である。
【発明を実施するための形態】
【０００８】
以下、本発明の実施の形態について、図面に基づいて説明する。図面において、１はモグラ忌避装置であって、該モグラ忌避装置１は、その一部が土中に埋められた状態で使用されるものであり、土中で音や振動を発生させることによって所定の範囲に生息するモグラを忌避するものである。
【０００９】
図１に示すように、本実施形態のモグラ忌避装置１は、外観を構成する部品として、使用時に一部が地中に埋められる金属製の角パイプ２と、角パイプ２の下部開口を塞ぐパイプキャップ３と、角パイプ２の上端部に一体的に設けられ、使用時に地上に位置するボックス４と、ケーブルグランド５を介してボックス４から引き出される電源ケーブル６とを備えている。
【００１０】
また、図２に示すように、本実施形態のモグラ忌避装置１は、角パイプ２内に組み込まれる部品として、錘７、バネ８、延長シャフト９及びカップリング１０を備えるとともに、ボックス４内に組み込まれる部品として、モータ１１及びヒューズ１２を備えている。
【００１１】
モータ１１は、電源ケーブル６を介して接続されるＡＣ１００Ｖ電源で駆動される。ＡＣ１００Ｖ電源としては、家庭用電源の他、エンジン付き発電機などを用いることができる。ヒューズ１２は、モータ１１と電源ケーブル６との間に接続され、短絡などのトラブル発生時に通電経路を遮断することによりモータ１１を保護する。
【００１２】
モータ１１は、下方に突出するモータ軸１１ａを備えており、モータ駆動に応じてモータ軸１１ａを回転させる。モータ軸１１ａは、ボックス４の下面に形成される孔を介して角パイプ２内に突出しており、その先端部には、カップリング１０を介して延長シャフト９が一体回転可能に連結されている。
【００１３】
バネ８は、コイルバネであって、その上端部が延長シャフト９の下端部に連結支持されることにより、角パイプ２内に垂下状態で配置されている。モグラ忌避装置１を鉛直方向に沿って設置し、かつ、モータ１１が非駆動状態である場合は、モータ軸１１ａ、延長シャフト９及びバネ８が同一中心線上に位置している。
【００１４】
錘７は、バネ８の下端部に取付けられる。このとき、錘７の重心がバネ８の中心に対して偏心する状態であることが好ましい。たとえば、本実施形態では、側面視コ字状のプレートで錘７を構成し、その重心が一側方に偏倚する状態でバネ８の下端部に取付けている。
【００１５】
つぎに、本発明の実施形態に係るモグラ忌避装置１の使用方法及び動作について説明する。
【００１６】
モグラ忌避装置１を使用する場合は、鉛直方向に沿うように角パイプ２の一部を地中に埋める。このとき、角パイプ２の３／４程度を地中に埋めると、モグラ忌避装置１の設置姿勢が安定し、良好なモグラ忌避効果が得られる。
【００１７】
つぎに、ボックス４から引き出された電源ケーブル６をＡＣ１００Ｖ電源に接続する。ＡＣ１００Ｖ電源としては、家庭用電源の他、エンジン付き発電機などを用いることができる。
【００１８】
電源ケーブル６をＡＣ１００Ｖ電源に接続すると、モータ１１が駆動する。モータ１１は、モータ軸１１ａ、カップリング１０、延長シャフト９及びバネ８を介して錘７を回転させるが、回転に伴う遠心力の影響でバネ８が不規則な動きを示すため、錘７も不規則に旋回動作することになる。
【００１９】
そして、モータ駆動に応じて錘７が旋回すると、錘７が角パイプ２の内面に接触し、モグラを忌避するための音や振動を発生させる。このとき、錘７は、バネ８によって不規則に旋回動作するだけでなく、角パイプ２の内面との接触により不規則な動き示すため、発生する音や振動はモグラが慣れにくい不規則なものとなる。しかも、本実施形態の錘７は、バネ８の中心に対して偏心しているので、旋回動作の不規則性がさらに高められ、より忌避効果の高い不規則な音や振動を発生させることができる。
【００２０】
叙述の如く構成された本実施形態によれば、モグラを忌避するモグラ忌避装置１であって、少なくとも一部が地中に埋められる角パイプ２と、角パイプ２内に配置される錘７と、バネ８を介して錘７を不規則に旋回動作させるモータ１１とを備え、モータ駆動に応じて不規則に旋回動作する錘７が、角パイプ２の内面に接触する際に発生させる不規則な音及び／又は振動によってモグラを忌避するので、モグラが音や振動に慣れることを回避し、長期にわたって良好な忌避効果を維持することができる。
【００２１】
また、バネ８は、角パイプ２内に垂下されたコイルバネであり、モータ１１は、バネ８の上端部を連結支持し、錘７は、その重心がバネ８の中心に対して偏心する状態でバネ８の下端部に取付けられるので、旋回動作の不規則性が高められる。
【００２２】
また、モータ１１は、角パイプ２の上端部に設けられる地上のボックス４内に配置され、延長シャフト９を介してバネ８の上端部に連結されるので、モータ１１を角パイプ２内に配置する場合に比べ、湿気や水の影響でモータ１１が故障する可能性を低減できる。
【００２３】
また、モータ１１は、ＡＣ１００Ｖ電源で駆動されるので、太陽電池や乾電池で駆動させる場合のように、天候や電池寿命の影響で忌避効果が低下する不都合を回避できる。
【符号の説明】
【００２４】
１      モグラ忌避装置
２      角パイプ
３      パイプキャップ
４      ボックス
５      ケーブルグランド
６      電源ケーブル
７      錘
８      バネ
９      延長シャフト
１０    カップリング
１１    モータ
１１ａ  モータ軸
１２    ヒューズ
【図１】
2015084769.tif 000003
【図２】
2015084769.tif 000004